(57)【要約】      （修正有）【課題】少なくとも単一の電子故障に影響されないディスプレイデバイスを提供する。【解決手段】ディスプレイデバイスは、複数の画素を備え、各々の画素は、少なくとも１つの部分画素を含み、各々の部分画素は、少なくとも第１の可視状態及び第２の可視状態を示すように動作する駆動可能視覚的セグメントと、駆動可能視覚的セグメントと、第１の選択端子及び第１のデータ端子と結合された第１の電位設定部であって、第１の電位設定部は、駆動可能視覚的セグメントを、少なくとも第１の可視状態から第２の可視状態に駆動するように動作する、第１の電位設定部と、駆動可能視覚的セグメントと、第２の選択端子及び第２のデータ端子と結合された第２の電位設定部であって、第２の電位設定部は、第１の電位設定部とは独立して、駆動可能視覚的セグメントを、少なくとも第１の可視状態から第２の可視状態に駆動するように動作する、第２の電位設定部とを含む。【選択図】図２
2020197740.tif 000002
【特許請求の範囲】
【請求項１】
第１の選択ドライバと、
第１のデータドライバと、
第２の選択ドライバと、
第２のデータドライバと、
複数の画素であって、各々の前記画素は、少なくとも１つの部分画素を含む、複数の画素と、
を備えるディスプレイデバイスであって、
前記第１の選択ドライバ及び前記第１のデータドライバは、前記第２の選択ドライバ及び前記第２のデータドライバとは独立して動作するように構成され、
各々の前記部分画素は、
少なくとも第１の可視状態及び第２の可視状態を示すように動作する駆動可能視覚的セグメントと、
前記駆動可能視覚的セグメントと、前記第１の選択ドライバ及び前記第１のデータドライバと結合された第１のスイッチを含む第１の電位設定部であって、前記第１の電位設定部の前記第１のスイッチは、前記駆動可能視覚的セグメントを、少なくとも前記第１の可視状態から前記第２の可視状態に駆動するように動作する、第１の電位設定部と、
前記駆動可能視覚的セグメントと、前記第２の選択ドライバ及び前記第２のデータドライバと結合された第２のスイッチを含む第２の電位設定部であって、前記第２の電位設定部の前記第２のスイッチは、前記第１の選択ドライバ及び前記第１のデータドライバを介する前記第１の電位設定部の前記第１のスイッチとは独立して、前記駆動可能視覚的セグメントを、前記第２の選択ドライバ及び前記第２のデータドライバを介して少なくとも前記第１の可視状態から前記第２の可視状態に駆動するように動作する、第２の電位設定部と、
キャパシタ及びメモリ素子から成る群から選択される電位リテンショナであって、前記電位リテンショナは、前記第１のスイッチを介して前記第１の電位設定部に結合され、前記第２のスイッチを介して前記第２の電位設定部に結合される、電位リテンショナと、
を含む、ディスプレイデバイス。
【請求項２】
前記電位リテンショナは、前記第１の可視状態及び前記第２の可視状態の各々に対して必要とされるそれぞれの電位を保持するように構成され、各々の前記それぞれの電位は、前記第１の電位設定部及び前記第２の電位設定部のうちの少なくとも１つによって駆動される、請求項１に記載のディスプレイデバイス。
【請求項３】
前記第１の可視状態から前記第２の可視状態への遷移は、離散的である、請求項１に記載のディスプレイデバイス。
【請求項４】
前記第１の可視状態から前記第２の可視状態への遷移は、連続的である、請求項１に記載のディスプレイデバイス。
【請求項５】
前記第１の可視状態から前記第２の可視状態への遷移は、中間電位を必要とする、少なくとも第３の可視状態を介して行われる、請求項２に記載のディスプレイデバイス。
【請求項６】
前記第１の電位設定部及び前記第２の電位設定部のそれぞれの前記第１の選択ドライバ、前記第１のデータ端子、並びに前記第２の選択ドライバ及び前記第２のデータドライバのうちの少なくとも１つを介して、前記第１の電位設定部及び前記第２の電位設定部のうちの少なくとも１つにアクセスするように動作する少なくとも１つの品質測定ユニットを更に備える、請求項１に記載のディスプレイデバイス。
【請求項７】
前記少なくとも１つの品質測定ユニットは、電位計である、請求項６に記載のディスプレイデバイス。
【請求項８】
前記少なくとも１つの品質測定ユニットは、電流計である、請求項６に記載のディスプレイデバイス。
【請求項９】
第１の選択ドライバ、第１のデータドライバ、第２の選択ドライバ、第２のデータドライバ、及び複数の部分画素を有するマルチ画素ディスプレイのディスプレイマルチ動作アーキテクチャを動作させる方法であって、各々の前記部分画素は、それらの間で結合されたそれぞれの駆動可能視覚的セグメント及びそれぞれの電位リテンショナを含み、前記ディスプレイマルチ動作アーキテクチャは、各々の前記電位リテンショナを、第１のスイッチを介して前記第１のデータドライバ及び前記第１の選択ドライバと結合し、前記ディスプレイマルチ動作アーキテクチャは更に、各々の前記電位リテンショナを、第２のスイッチを介して前記第２のデータドライバ及び前記第２の選択ドライバと結合し、前記方法は、
前記第１の選択ドライバを介して、前記複数の部分画素のうちの選択された部分画素のそれぞれの前記電位リテンショナへのアクセスを、前記選択された部分画素の前記第１のスイッチをそれぞれ制御することによって提供する手順、並びに
前記第２の選択ドライバを介して、前記複数の部分画素のうちの前記選択された部分画素のそれぞれの前記電位リテンショナへのアクセスを、前記選択された部分画素の前記第２のスイッチをそれぞれ制御することによって提供する手順
を備える、方法。
【請求項１０】
前記選択された部分画素の前記第１のスイッチをそれぞれ無効にする手順を更に備える、請求項９に記載の方法。
【請求項１１】
前記選択された部分画素の前記第１のスイッチをそれぞれ採用することは、前記第１のスイッチによって、前記選択された部分画素の前記電位リテンショナをそれぞれ、選択された電位レベルに設定することを含む、請求項９に記載の方法。
【請求項１２】
前記選択された部分画素の前記第２のスイッチをそれぞれ採用することは、前記第２のスイッチによって、前記選択された部分画素の前記電位リテンショナをそれぞれ、選択された電位レベルに設定することを含む、請求項９に記載の方法。
【請求項１３】
前記選択された部分画素の前記第１のスイッチをそれぞれ採用することは、前記第１のスイッチを介して、前記選択された部分画素の前記電位リテンショナそれぞれの前記電位レベルを測定することを含む、請求項９に記載の方法。
【請求項１４】
前記選択された部分画素の前記第２のスイッチをそれぞれ採用することは、前記第２のスイッチを介して、前記選択された部分画素の前記電位リテンショナそれぞれの前記電位レベルを測定することを含む、請求項９に記載の方法。
【請求項１５】
１）前記選択された部分画素のそれぞれの前記第２のスイッチを介して前記選択された部分画素にアクセスする手順、及び、２）前記選択された部分画素のそれぞれの前記第１のスイッチを介して前記選択された部分画素にアクセスする手順を同時に行うことを更に備える、請求項９に記載の方法。
【請求項１６】
前記第１の選択ドライバを介して、前記複数の部分画素のうちの第２の選択された部分画素の前記第１のスイッチをそれぞれ制御することによって、前記第２の選択された部分画素のそれぞれの前記電位リテンショナへのアクセスを提供する手順、並びに
３）前記選択された部分画素の前記第２のスイッチをそれぞれ介して前記選択された部分画素にアクセスし、４）前記第２の選択された部分画素の前記第１のスイッチをそれぞれ介して前記第２の選択された部分画素にアクセスする手順
を更に備える、請求項９に記載の方法。
【発明の詳細な説明】
【技術分野】
【０００１】
開示される技術は、概して、視覚的表示を提供するシステム及び方法に関し、特に、視覚的表示における冗長性のためのシステム及び方法に関する。
【背景技術】
【０００２】
視覚的表示を提供するシステム及び方法が本分野において既知である。視覚的表示を提供する１つの技術は、アクティブマトリックス液晶ディスプレイ（ＡＭＬＣＤ）と称され、ＡＭＬＣＤでは、各々の画素は、表示素子（例えば、液晶）、その画素の電気状態を保持するためのメモリ記憶装置、及びその電気状態を設定するためのトランジスタを含む。
【０００３】
ここで、図１Ａ、１Ｂ、１Ｃ、及び１Ｄへの参照が行われる。図１Ａは、本分野において既知である、全体的に参照符号１０が付された、従来のＡＭＬＣＤディスプレイの概略図である。図１Ｂ及び１Ｃは、本分野において既知である、全体的に参照符号２４ＡＲが付された、図１Ａのディスプレイ１０の異なる状態にある単一の電位設定部の概略図である。図１Ｄは、本分野において既知である、全体的に参照符号２２ＡＲが付された、図１Ａのディスプレイ１０の部分画素の特定の実装態様の概略図である。
【０００４】
ディスプレイ１０は、複数の画素２０Ａ、２０Ｂ、２０Ｃ、及び２０Ｄを含む。画素２０Ａ、２０Ｂ、２０Ｃ、及び２０Ｄの各々は、３つのそれぞれの部分画素２２ＡＲ、２２ＡＧ、２２ＡＢ、２２ＢＲ、２２ＢＧ、２２ＢＢ、２２ＣＲ、２２ＣＧ、２２ＣＢ、２２ＤＲ、２２ＤＧ、及び２２ＤＢを含む。ディスプレイ１０などの典型的なディスプレイは、数千から数百万まで、更に多くの任意の数の画素を含んでもよいこと、及び図１Ａは、典型的なディスプレイの非常に小さい部分の例示にすぎないことに留意されたい。部分画素２２ＡＲ、２２ＡＧ、２２ＡＢ、２２ＢＲ、２２ＢＧ、２２ＢＢ、２２ＣＲ、２２ＣＧ、２２ＣＢ、２２ＤＲ、２２ＤＧ、及び２２ＤＢの各々は、赤（Ｒ）、緑（Ｇ）、及び青（Ｂ）などの予め定められた波長範囲において方向付けられる液晶部、それぞれのキャパシタ（図示せず）、更に、参照符号２４ＡＲ、２４ＡＧ、２４ＡＢ、２４ＢＲ、２４ＢＧ、２４ＢＢ、２４ＣＲ、２４ＣＧ、２４ＣＢ、２４ＤＲ、２４ＤＧ、及び２４ＤＢが付されたそれぞれの電位設定部を含む。ディスプレイ１０は更に、選択ドライバ１２及びデータドライバ１４を含む。選択ドライバ１２は、選択線１８１を介して電位設定部２４ＡＲ、２４ＡＧ、２４ＡＢ、２４ＢＲ、２４ＢＧ、及び２４ＢＢの各々に結合され、選択線１８２を介して電位設定部２４ＣＲ、２４ＣＧ、２４ＣＢ、２４ＤＲ、２４ＤＧ、及び２４ＤＢに更に結合される。データドライバ１４は、データ線１６１Ｒを介して各々の電位設定部２４ＡＲ及び２４ＣＲに結合され、データ線１６１Ｇを介して各々の電位設定部２４ＡＧ及び２４ＣＧに結合され、データ線１６１Ｂを介して各々の電位設定部２４ＡＢ及び２４ＣＢに結合され、データ線１６２Ｒを介して各々の電位設定部２４ＢＲ及び２４ＤＲに結合され、データ線１６２Ｇを介して各々の電位設定部２４ＢＧ及び２４ＤＧに結合され、データ線１６２Ｂを介して各々の電位設定部２４ＢＢ及び２４ＤＢに結合される。
【０００５】
図１Ｂを参照して、電位設定部２４ＡＲは、スイッチ３０を含む。スイッチ３０は、キャパシタ３２、選択線１８１、及びデータ線１６１Ｒと結合される。選択線１８１は、開放し（図１Ｂに示されるように）又は閉鎖される（図１Ｃに示されるように）かのいずれかとなるようにスイッチ３０の状態を制御する。データ線１６１Ｒは、それぞれのＬＣＤ層（図示せず）に対し、所望の状態の透過率（例えば、透明、不透明、又は様々なレベルの半透明度）によりそれぞれ、特定の電位Ｖ１に設定する。図１Ｂでは、キャパシタ３２は、電位Ｖ０を示し、Ｖ０≠Ｖ１である。図１Ｃでは、選択線１８１は、スイッチ３０の状態を開放から閉鎖に変化させ、それによって、データ線１６１Ｒをキャパシタ３２と結合し、電位Ｖ１を示すようにキャパシタ３２を設定する。キャパシタ３２は、この電位Ｖ１をそれぞれのＬＣＤ層上に誘導し、それぞれのＬＣＤ層は次に、所望の状態の透過率に設定される。
【０００６】
図１Ｄを参照して、スイッチ３０は、ゲート電極３６、ドレーン電極３４、及びソース電極３８を有するトランジスタ３３の形式で実装される。ゲート電極３６は、選択線１８１と結合され、ソース電極３８は、データ線１６１Ｒと結合され、ドレーン電極３４は、キャパシタ３２、更には、部分画素２４ＡＲのＬＣＤ素子Ｒと結合される。選択線１８１は、開放状態、閉鎖／鎖導電状態、及び抵抗状態（すなわち、部分的／半導電）などのいずれかに交互になるように、時間内に、トランジスタ３３の状態を制御し、データ線１８１とキャパシタ３２との間で結合する。
【０００７】
更に、図１Ｅへの参照が行われ、図１Ｅは、本分野において既知である、全体的に参照符号４４が付された、電位設定部の概略図である。電位設定部４４は、２つのスイッチ４０Ａ及び４０Ｂを含む。スイッチ４０Ａ及び４０Ｂの各々の１つは、キャパシタ４２と結合され、更には部分画素（図示せず）のＬＣＤ素子Ｒ、選択線４８、及びデータ線４６に結合される。選択線４８は、開放状態又は閉鎖状態のいずれかである、同一の状態に同時にあるようにスイッチ４０Ａ及び４０Ｂを動作させる。データ線４６は、スイッチ４０Ａ及び４０Ｂの１つの終端において電位レベルＶ１を同時に設定する。選択線４８がスイッチ４０Ａ及び４０Ｂを閉鎖状態に設定すると、４０Ａ及び４０Ｂは、データ線４８をキャパシタ４２に接続し、それによって、キャパシタ４２を電位レベルＶ１’に帯電し、それをその電位レベルに設定する。
【０００８】
「Ａｐｐａｒａｔｕｓ  ｆｏｒ  ａｉｒｃｒａｆｔ  ｄｕａｌ  ｃｈａｎｎｅｌ  ｄｉｓｐｌａｙ」と題するＢｕｓｈｅｌｌ等に対する米国特許第８，８３２，７４８号は、ディスプレイパネル上でビデオ信号を表示することが可能な、画素マトリックス、バックライト照明、及び２つのビデオチャネルを含むディスプレイに向けられる。各々のビデオチャネルは、それぞれの列ドライバ、行ドライバ、ＬＥＤドライバ、タイミングコントローラ、バックライトコントローラ、及び電源を含む。各々のチャネルの列及び行ドライバは、液晶マトリックスなどの画素マトリックス内の列及び行に結合し、各々の画素内の、電気的に分離された、交互配置された色グループを駆動する。スイッチは、ディスプレイ上でビデオ信号を表示するために、２つの独立したビデオチャネルの間で選択することをもたらす。Ｂｕｓｈｅｌｌ等によって向けられたディスプレイでは、各々の画素は、部分画素の２つ又は４つの色グループを含み、各々のグループは、赤、緑、及び青の部分画素を含む。各々のチャネルは、１つの色グループ又は色グループのペアを駆動する。そのような構成は、チャネルの１つが機能しないと、アクティブな部分画素の均等な分散をもたらすことができる。
【発明の概要】
【０００９】
開示される技術の目的は、画像生成電子機器、ドライバ電子機器、部分画素電子機器素子、又は相互接続コンダクタのいずれかにおける少なくとも単一の電子故障に影響されないフォールトトレラントディスプレイ（すなわち、提示される画像は、影響されず、又は機能が損なわれない）のための新規な方法及びシステムを提供する。
【００１０】
開示される技術に従って、複数の画素を含むディスプレイデバイスが提供される。画素は、少なくとも１つの部分画素を含む。部分画素の各々は、駆動可能視覚的セグメント、第１の電位設定部、及び第２の電位設定部を含む。駆動可能視覚的セグメントは、少なくとも第１の可視状態及び第２の可視状態を示すように動作する。第１の電位設定部は、駆動可能視覚的セグメントと、第１の選択端子及び第１のデータ端子と結合される。第１の電位設定部は、駆動可能視覚的セグメントを、少なくとも第１の可視状態から第２の可視状態に駆動するように動作する。第２の電位設定部は、駆動可能視覚的セグメントと、第２の選択端子及び第２のデータ端子と結合される。第２の電位設定部は、第１の電位設定部とは独立して、駆動可能視覚的セグメントを、少なくとも第１の可視状態から第２の可視状態に駆動するように動作する。
【００１１】
開示される技術の別の態様に従って、複数の部分画素を有するマルチ画素ディスプレイのディスプレイマルチ動作アーキテクチャを動作させる方法が提供される。部分画素の各々は、それらの間で結合されたそれぞれの駆動可能視覚的セグメント及びそれぞれの電位リテンショナを含む。ディスプレイマルチ動作アーキテクチャは、第１のスイッチにより、更にはそれぞれの第１のデータ線及びそれぞれの第１の選択線を介して、電位リテンショナの各々の１つに結合する。ディスプレイマルチ動作アーキテクチャは更に、第２のスイッチにより、更にはそれぞれの第２のデータ線及びそれぞれの第２の選択線を介して、電位リテンショナの各々の１つに結合する。方法は、
それぞれの第１のデータ線及びそれぞれの第１の選択線を介して、部分画素の少なくとも１つの選択された１つの電位リテンショナそれぞれへのアクセスを、選択された部分画素の第１のスイッチをそれぞれ採用することによって提供すること、並びに
それぞれの第２のデータ線及びそれぞれの第２の選択線を介して、部分画素の少なくとも１つの選択された１つの電位リテンショナそれぞれへのアクセスを、選択された部分画素の第２のスイッチをそれぞれ採用することによって提供すること
の手順を備える。
【００１２】
開示される技術は、図面を併用して以下の詳細な説明から更に完全に理解及び認識されよう。
【図面の簡単な説明】
【００１３】
【図１Ａ】本分野において既知である、従来のＡＭＬＣＤディスプレイの概略図である。
【図１Ｂ】本分野において既知である、図１Ａのディスプレイ１０の異なる状態にある単一の電位設定部の概略図である。
【図１Ｃ】本分野において既知である、図１Ａのディスプレイ１０の異なる状態にある単一の電位設定部の概略図である。
【図１Ｄ】本分野において既知である、図１Ａのディスプレイ１０の部分画素の特定の実装態様の概略図である。
【図１Ｅ】本分野において既知である、電位設定部の概略図である。
【図２】開示される技術の実施形態に従って構築され、及び動作するディスプレイの概略図である。
【図３Ａ】開示される技術に従って、動作の第１のモードにおいて構築され、及び動作する、図２のディスプレイの第１の電位設定部及び第２の電位設定部の概略図である。
【図３Ｂ】開示される技術に従って、動作の第２のモードにおいて構築され、及び動作する、図２のディスプレイの第１の電位設定部及び第２の電位設定部の概略図である。
【図３Ｃ】開示される技術に従って、動作の第３のモードにおいて構築され、及び動作する、図２のディスプレイ１００の第１の電位設定部及び第２の電位設定部の概略図である。
【図３Ｄ】開示される技術に従って、動作の第４のモードにおいて構築され、及び動作する、図２のディスプレイの第１の電位設定部及び第２の電位設定部の概略図である。
【図３Ｅ】開示される技術の別の実施形態に従って、動作の更なるモードにおいて構築され、及び動作する、図２のディスプレイの第１の電位設定部及び第２の電位設定部の概略図である。
【図３Ｆ】開示される技術の更なる実施形態に従って、動作の別のモードにおいて構築され、及び動作する、図２のディスプレイの第１の電位設定部及び第２の電位設定部の概略図である。
【図４】開示される技術の更なる実施形態に従って動作する、冗長に動作可能なディスプレイを動作させる方法の概略図である。
【図５】開示される技術の更なる別の実施形態に従って動作する、冗長に動作可能なディスプレイを動作させる方法の概略図である。
【図６】開示される技術のまた更なる実施形態に従って動作する、冗長に動作可能なディスプレイを動作させる方法の概略図である。
【発明を実施するための形態】
【００１４】
開示される技術は、ディスプレイユニットにおいて画素を冗長に動作させるシステム及び方法を提供することによって、従来技術の欠点を克服する。開示される技術に従って、各々の部分画素が駆動可能視覚的セグメント（例えば、ＬＣＤ層、動的ミラー）、電位リテンショナ（例えば、キャパシタ、メモリ素子）、第１の選択ドライバ及び第１のデータドライバと結合された第１のスイッチ、並びに第２の選択ドライバ及び第２のデータドライバと結合された第２のスイッチを含む構成が提供される。スイッチの各々の１つは、それらと結合された他のスイッチとは独立して、それぞれの選択ドライバによって動作するように動作する。スイッチの各々の１つは、それらと結合された他のスイッチとは独立して、キャパシタを、それぞれのデータドライバによってそれに提供される電位に設定するように動作する。
【００１５】
以下の実施例は、カラーディスプレイについて提供され、各々のフルカラー画素は、他にＲＧＢ色彩方式として本分野において既知である、３つの独立して動作可能な部分画素、赤色部分画素、緑色部分画素、及び青色部分画素を含む。開示される技術は、
−各々の画素が、ヘッドアップディスプレイ、ヘルメットディスプレイにおいて典型的には使用される、バックライトのいずれかの色を取り込むことができる明確な部分画素から構成されたモノクロディスプレイ、
−ヘッドアップディスプレイ、ヘルメットディスプレイにおいて典型的には使用される、赤及び緑の２つの部分画素、
−高輝度ディスプレイにおいて典型的には使用される、赤、緑、青、白の４つの部分画素、
−特殊ディスプレイのための赤、緑、青、黄、及び他の組み合わせの４つの部分画素、
−増大した色域を有する特殊ディスプレイ又は特殊モード依存動作のための５つ以上の部分画素、
などのいずれかの他の色彩方式に容易に適用することができる。
【００１６】
それらの部分画素のいずれかの１つは、複数の可視状態に設定されてもよく、複数の可視状態は、所与の部分画素を照らす背景照明、その前方に配置された色彩フィルタ、及びＬＣＤ層がそれに設定される透明度レベルによって判定される。典型的には、部分画素を所望の可視状態に設定することは（例えば、ディスプレイ全体をリフレッシュする間）、それぞれのＬＣＤ層を所望の透明度レベルに設定することによって行われ、所望の透明度レベルは、その所望の可視状態に対して関連付けられ、及びその所望の可視状態のために必要とされる。可視状態の間の遷移は、ＬＣＤを透明度の１つのレベルから別のレベルに設定することによって（例えば、それぞれのキャパシタを電位レベルＶ１から電位レベルＶ２に一度に全て設定することによって、又は中間レベルＶ３に、若しくは漸進的にそれぞれ設定することによって）、離散的であってもよく（すなわち、１つの可視状態から別の可視状態に「ジャンプする」）、漸進的であってもよく、又は連続的であってもよい（すなわち、「滑らかな」）。ここで、全体的に参照符号１００が付された、開示される技術の実施形態に従って構築され、及び動作するディスプレイの概略図である、図２への参照が行われる。ディスプレイ１００は、複数の画素１２０Ａ、１２０Ｂ、１２０Ｃ、及び１２０Ｄを含む。画素１２０Ａ、１２０Ｂ、１２０Ｃ、及び１２０Ｄの各々は、３つのそれぞれの部分画素１２２ＡＲ、１２２ＡＧ、１２２ＡＢ、１２２ＢＲ、１２２ＢＧ、１２２ＢＢ、１２２ＣＲ、１２２ＣＧ、１２２ＣＢ、１２２ＤＲ、１２２ＤＧ、及び１２２ＤＢを含む。ディスプレイ１０などの典型的なディスプレイは、いずれかの数の画素を含んでもよいこと（すなわち、製造上の制約に影響される）、更に、各々のそのような画素は、いずれかの所望のスペクトル領域の配列（実施例を提供する）において１つ又は複数の部分画素を含んでもよいことに留意されたい。部分画素１２２ＡＲ、１２２ＡＧ、１２２ＡＢ、１２２ＢＲ、１２２ＢＧ、１２２ＢＢ、１２２ＣＲ、１２２ＣＧ、１２２ＣＢ、１２２ＤＲ、１２２ＤＧ、及び１２２ＤＢの各々は、赤（Ｒ）、緑（Ｇ）、及び青（Ｂ）などの予め定められた波長範囲において方向づけられる液晶部、それぞれのキャパシタ（図示せず）、参照符号１２４ＡＲ、１２４ＡＧ、１２４ＡＢ、１２４ＢＲ、１２４ＢＧ、１２４ＢＢ、１２４ＣＲ、１２４ＣＧ、１２４ＣＢ、１２４ＤＲ、１２４ＤＧ、１２４ＤＢが付された第１のそれぞれの電位設定部、及び参照符号１２６ＡＲ、１２６ＡＧ、１２６ＡＢ、１２６ＢＲ、１２６ＢＧ、１２６ＢＢ、１２６ＣＲ、１２６ＣＧ、１２６ＣＢ、１２６ＤＲ、１２６ＤＧ、１２６ＤＢが付された第２のそれぞれの電位設定部を含む。
【００１７】
ディスプレイ１００は更に、第１の選択ドライバ１０２、第２の選択ドライバ１１２、第１のデータドライバ１０４、及び第２のデータドライバ１１４を含む。
【００１８】
第１の選択ドライバ１０２は、選択線１０８１を介して電位設定部１２４ＡＲ、１２４ＡＧ、１２４ＡＢ、１２４ＢＲ、１２４ＢＧ、及び１２４ＢＢの各々に結合され、選択線１０８２を介して電位設定部１２４ＣＲ、１２４ＣＧ、１２４ＣＢ、１２４ＤＲ、１２４ＤＧ、及び１２４ＤＢに更に結合される。第１のデータドライバ１０４は、データ線１０６１Ｒを介して各々の電位設定部１２４ＡＲ及び１２４ＣＲに結合され、データ線１０６１Ｇを介して各々の電位設定部１２４ＡＧ及び１２４ＣＧに結合され、データ線１０６１Ｂを介して各々の電位設定部１２４ＡＢ及び１２４ＣＢに結合され、データ線１０６２Ｒを介して各々の電位設定部１２４ＢＲ及び１２４ＤＲに結合され、データ線１０６２Ｇを介して各々の電位設定部１２４ＢＧ及び１２４ＤＧに結合され、データ線１０６２Ｂを介して各々の電位設定部１２４ＢＢ及び１２４ＤＢに結合される。
【００１９】
第２の選択ドライバ１１２は、選択線１１８１を介して電位設定部１２６ＡＲ、１２６ＡＧ、１２６ＡＢ、１２６ＢＲ、１２６ＢＧ、及び１２６ＢＢの各々に結合され、選択線１１８２を介して電位設定部１２６ＣＲ、１２６ＣＧ、１２６ＣＢ、１２６ＤＲ、１２６ＤＧ、及び１２６ＤＢに更に結合される。第２のデータドライバ１１４は、データ線１１６１Ｒを介して各々の電位設定部１２６ＡＲ及び１２６ＣＲに結合され、データ線１１６１Ｇを介して各々の電位設定部１２６ＡＧ及び１２６ＣＧに結合され、データ線１１６１Ｂを介して各々の電位設定部１２６ＡＢ及び１２６ＣＢに結合され、データ線１１６２Ｒを介して各々の電位設定部１２６ＢＲ及び１２６ＤＲに結合され、データ線１１６２Ｇを介して各々の電位設定部１２６ＢＧ及び１２６ＤＧに結合され、データ線１１６２Ｂを介して各々の電位設定部１２６ＢＢ及び１２６ＤＢに結合される。
【００２０】
上記電位設定部の各々は、それぞれのデータ端子及びそれぞれの選択端子と関連付けられることに留意されたい。そのようなそれぞれのデータ端子は、所与の電位設定部と結合されたデータ線から、及びそのデータ線と結合されたそれぞれのデータドライバから形成される。そのようなそれぞれの選択端子は、所与の電位設定部と結合された選択線から、及びその選択線と結合されたそれぞれの選択ドライバから形成される。図２を参照して、電位設定部１２４ＡＧの選択端子は、選択線１０８１及び選択ドライバ１０２を含むと共に、電位設定部１２４ＡＧのデータ端子は、データ線１０６１Ｇ及びデータドライバ１０４を含む。
【００２１】
更に、図３Ａ、３Ｂ、３Ｃ、及び３Ｄへの参照が行われる。図３Ａは、開示される技術に従って、動作の第１のモードにおいて構築され、及び動作する、図２のディスプレイ１００の第１の電位設定部１２４ＡＲ及び第２の電位設定部１２６ＡＲの概略図である。図３Ｂは、開示される技術に従って、動作の第２のモードにおいて構築され、及び動作する、図２のディスプレイ１００の第１の電位設定部１２４ＡＲ及び第２の電位設定部１２６ＡＲの概略図である。図３Ｃは、開示される技術に従って、動作の第３のモードにおいて構築され、及び動作する、図２のディスプレイ１００の第１の電位設定部１２４ＡＲ及び第２の電位設定部１２６ＡＲの概略図である。図３Ｄは、開示される技術に従って、動作の第４のモードにおいて構築され、及び動作する、図２のディスプレイ１００の第１の電位設定部１２４ＡＲ及び第２の電位設定部１２６ＡＲの概略図である。
【００２２】
第１の電位設定部１２４ＡＲ及び第２の電位設定部１２６ＡＲは両方とも、部分画素１２２ＡＲ及びキャパシタ１３２と関連付けられ、キャパシタ１３２は、部分画素１２２ＡＲのＬＣＤ層を所望の状態の透過率（例えば、透明、不透明、又は様々なレベルの半透明度）に設定する電位を保持する、電位リテンショナとしての役割を果たす。
【００２３】
電位設定部１２４ＡＲは、スイッチ１３０１を含む。電位設定部１２６ＡＲは、スイッチ１３０２を含む。スイッチ１３０１は、キャパシタ１３２、第１の選択線１０８１、及び第１のデータ線１０６１Ｒと結合される。スイッチ１３０２は、キャパシタ１３２、第２の選択線１１８１、及び第２のデータ線１１６１Ｒと結合される。
【００２４】
第１の選択線１０８１は、開放し（図３Ａ及び３Ｃに示されるように）又は閉鎖される（図３Ｂ及び３Ｄに示されるように）かのいずれかとなるようにスイッチ１３０１の状態を制御する。図３Ａ、３Ｂ、３Ｃ、及び３Ｄでは、第１のデータ線１０６１Ｒは、それぞれのＬＣＤ層（図示せず）に対し、キャパシタ１３２を、第１の所望の状態の透過率（例えば、透明、不透明、又は様々なレベルの半透明度）によりそれぞれ、特定の電位Ｖ１に設定するように動作可能である（すなわち、設定は単に、図３Ｂ及び３Ｄにおいて行われる）。
【００２５】
第２の選択線１１８１は、開放し（図３Ａ及び３Ｂに示されるように）又は閉鎖される（図３Ｃ及び３Ｄに示されるように）のいずれかとなるようにスイッチ１３０２の状態を制御する。データ線１１６１Ｒは、それぞれのＬＣＤ層（図示せず）に対し、第２の所望の状態の透過率（例えば、透明、不透明、又は様々なレベルの半透明度）によりそれぞれ、特定の電位Ｖ２に設定する（図３Ａ、３Ｂ、及び３Ｃにおいて）。
【００２６】
２つの完全に冗長な駆動電子機器を有するので、ディスプレイ１００の各々の部分画素は、第１の選択ドライバ１０２及び第１のデータドライバ１０４、又は第２の選択ドライバ１１２及び第２のデータドライバ１１４のいずれかによって、独立して駆動されてもよい。したがって、電力は、第１の駆動電子機器（すなわち、第１の選択ドライバ１０２及び第１のデータドライバ１０４）と第２の駆動電子機器（すなわち、第２の選択ドライバ１１２及び第２のデータドライバ１１４）との間でトグルされてもよい。例えば、第１の選択ドライバ１０２及び第１のデータドライバ１０４、又はそれらと結合された電位設定部（例えば、１２４ＡＲ、１２４ＡＧ、１２４ＡＢ、１２４ＢＲ、１２４ＢＧ、１２４ＢＢ、１２４ＣＲ、１２４ＣＧ、１２４ＣＢ、１２４ＤＲ、１２４ＤＧ、１２４ＤＢ）のうちの少なくとも１つのいずれかが誤動作している場合、電力は次いで、第１の選択ドライバ１０２及び第１のデータドライバ１０４からカットオフされ、第２の選択ドライバ１１２及び第２のデータドライバ１１４に提供され、第２の選択ドライバ１１２及び第２のデータドライバ１１４は次に、第１の選択ドライバ１０２及び第１のデータドライバ１０４に前に提供された、同一の表示命令に基づいて、電位設定部１２６ＡＲ、１２６ＡＧ、１２６ＡＢ、１２６ＢＲ、１２６ＢＧ、１２６ＢＢ、１２６ＣＲ、１２６ＣＧ、１２６ＣＢ、１２６ＤＲ、１２６ＤＧ、１２６ＤＢを動作させる。開示される技術の他の利点は、以下で更に提示されることになる。
【００２７】
図３Ａでは、キャパシタ１３２は、電位Ｖ０を示し、Ｖ２≠Ｖ０≠Ｖ１≠Ｖ２である。図３Ｂでは、第２の選択線１１８１がスイッチ１３０２に対して開放状態を維持すると共に、第１の選択線１０８１がスイッチ１３０１の状態を開放から閉鎖に変化させ、それによって、第１のデータ線１０６１Ｒをキャパシタ１３２と結合し、電位Ｖ１を示すようにキャパシタ１３２を設定する。キャパシタ１３２は、この電位Ｖ１をそれぞれのＬＣＤ層上に誘導し、それぞれのＬＣＤ層は次に、第１の所望の状態の透過率に設定される。
【００２８】
図３Ｂを参照して、例えば、第１の選択ドライバ１０２、第１のデータドライバ１０４、又はそれらと結合された電位設定部のうちの少なくとも１つ、のうちの１つ又は複数が誤動作しているとき、第２の選択ドライバ１０６、第２のデータドライバ１０８、及びそれらと結合された電位設定部はなお、ディスプレイ１００の部分画素のいずれかのキャパシタの電位レベルをそれぞれ設定するように動作する。
【００２９】
よって、ディスプレイパネルは、フル画像を表示し続けることができる（すなわち、ディスプレイパネル内で画素の全てを採用する）。
【００３０】
図３Ｃでは、第１の選択線１０８１がスイッチ１３０１に対して開放状態を維持すると共に、第２の選択線１１８１がスイッチ１３０２の状態を開放から閉鎖に変化させ、それによって、第２のデータ線１１６１Ｒをキャパシタ１３２と結合し、電位Ｖ２を示すようにキャパシタ１３２を設定する。キャパシタ１３２は、この電位Ｖ２をそれぞれのＬＣＤ層上に誘導し、それぞれのＬＣＤ層は次に、第２の所望の状態の透過率に設定される。スイッチ１３０２は、キャパシタ１３２を、Ｖ１を含むいずれかの所望の電位に設定することができる（例えば、スイッチ１３０１又はそれを駆動する電子機器が誤動作しているとき）ことに留意されたい。
【００３１】
図３Ｄでは、データ線１０６１Ｒ及び１１６１Ｒの両方は、電位Ｖ１に設定される。第１の選択線１０８１は、スイッチ１３０１の状態を開放から閉鎖に変化させ、それによって、第１のデータ線１０６１Ｒをキャパシタ１３２と結合するのと同時に、第２の選択線１１８１がスイッチ１３０２の状態を開放から閉鎖に変化させ、それによって、第２のデータ線１１６１Ｒをキャパシタ１３２と結合する。データ線１０６１Ｒ及び１１６１Ｒの両方が電位Ｖ１に設定され、よって、それと同時にキャパシタ１３２と結合されるので、それらは、電位Ｖ１を示すようにキャパシタ１３２を設定するが、キャパシタ１３２を帯電するために使用される電流がスイッチ１３０１を流れる電流Ｉ１及びスイッチ１３０２を流れる電流Ｉ２の合計（すなわち、Ｉ１＋Ｉ２）であるから、それらは典型的には、図３Ｂ及び３Ｃに開示された構成（第２のデータ線が電位Ｖ１に設定されている）よりも速い。典型的な電流Ｉ１は、ＬＣＤ  ＴＦＴトランジスタが構成される材料特性によって制約されることに留意されたい。
【００３２】
また、図３Ｅ及び３Ｆへの参照が行われる。図３Ｅは、開示される技術の別の実施形態に従って、動作の更なるモードにおいて構築され、及び動作する、図２のディスプレイ１００の第１の電位設定部１２４ＡＲ及び第２の電位設定部１２６ＡＲの概略図である。図３Ｆは、開示される技術の更なる実施形態に従って、動作の別のモードにおいて構築され、及び動作する、図２のディスプレイ１００の第１の電位設定部１２４ＡＲ及び第２の電位設定部１２６ＡＲの概略図である。
【００３３】
図３Ｅ及び３Ｆでは、第２のデータ線１１６１Ｒは更に、電圧計１３６の形式で電位センサと結合される。図３Ｅでは、スイッチ１３０１は開放し、スイッチ１３０２は閉鎖され、よって、電圧計は、第１のデータ線１０６１Ｒが設定した電位Ｖ１によっては干渉されない、キャパシタ１３２の電位ＶＣを測定することができる。図３Ｆでは、スイッチ１３０１及び１３０２の両方は閉鎖され、電圧計がキャパシタ１３２の電位ＶＣを測定することができると共に、それは、ＶＣが電位Ｖ１に到達したかどうかを判定することができ、よって、第１の選択線１０８１Ｒ、第１のデータ線１０６１Ｒの組、及びスイッチ１３０１を含む機構が正確に動作していること（すなわち、ＶＣ＝Ｖ１であるとき）、又は誤動作を示していること（すなわち、ＶＣ≠Ｖ１であるとき）を検出することができる。開示される技術は、いずれかの電位測定デバイスを利用してもよく、電位測定デバイスは、電流計読み出し統合によって、更には任意選択で、電位リテンショナなどの他の構成素子の特性を考慮して、直接（例えば、本実施例として電圧計）又は間接的のいずれかで電位を測定することができる。他のタイプの測定値は、経時的な電流プロファイル、電流、又は電位微分値などの電位値を置き換えてもよい。上記測定値の全ては、品質測定値としての役割を果たし、品質測定値は、１つ又は複数の電位リテンショナの所望の電位レベルを設定する工程における障害／誤動作を示すことができる。品質測定ユニット（例えば、電圧計、電流計）は、第１の選択端子、第１のデータ端子、第２の選択端子、及び第２のデータ端子のうちの１つ又は複数に結合されてもよい。そのような測定ユニットは、選択された線に対して一意となることができ、又は複数の線（すなわち、データ線若しくは選択線）に対して一瞬に割り当てられてもよい。開示される技術のまた更なる実施形態に従って、１１６１Ｒなどの第２のデータ線は代わりに、電位センサが誤動作を検出するときなどに、電位源及び電位センサと結合されてもよく、その第２のデータ線と結合された電位源（すなわち、第２の選択線及び第２のスイッチと共に）は、第１の選択線、第１のデータ線、及び第１のスイッチを含む「第１の」機構に対するバックアップとしての役割を果たすことができる。
【００３４】
ここで、開示される技術の更なる実施形態に従って動作する、冗長に動作可能なディスプレイを動作させる方法の概略図である、図４への参照が行われる。手順２００では、冗長に動作可能なディスプレイが提供される。ディスプレイは、各々が少なくとも１つの部分画素を含む複数の画素を含む。各々の部分画素は、駆動可能視覚的セグメント、第１のスイッチ、及び第２のスイッチを含み、第１のスイッチは、第１の選択ドライバ及び第１のデータドライバと結合され、第２のスイッチは、第２の選択ドライバ及び第２のデータドライバと結合される。
【００３５】
手順２０２では、部分画素のうちの少なくとも１つの駆動可能視覚的セグメントについての透明度状態は、その部分画素のそれぞれの第１のスイッチを採用することによって設定される。図２に関して、第１の電位設定部１２４ＡＲは、第１の電位Ｖ１を部分画素１２２ＡＲの液晶部Ｒに提供するために採用される。第１の電位Ｖ１は、所望の第１の透明度レベルに対応する。
【００３６】
手順２０４では、部分画素の少なくとももう１つの駆動可能視覚的セグメントについての透明度状態は、その部分画素のそれぞれの第２のスイッチを採用することによって設定される。図２に関して、第１の電位設定部１２４ＡＧは、第２の電位Ｖ２を部分画素１２２ＡＧの液晶部Ｇに提供するために採用される。第２の電位Ｖ２は、所望の第２の透明度レベルに対応する。
【００３７】
手順２０２及び２０４は、順次的に、又は同時のいずれかで実行されてもよいことに留意されたい。同時に実行されるとき、各々の所与の瞬間に、２つの部分画素がリフレッシュされるので、手順は、ディスプレイ全体をリフレッシュするために必要とされる時間を実質的に半分に減少させる。更に、図４の方法はまた、特定の部分画素がそのそれぞれの第１の電位設定部によって動作することができず、代わりに、そのそれぞれの第２の電位設定部によって動作している状況において役割を果たすことに留意されたい。
【００３８】
ここで、開示される技術の更なる別の実施形態に従って動作する、冗長に動作可能なディスプレイを動作させる方法の概略図である、図５への参照が行われる。手順２１０では、冗長に動作可能なディスプレイが提供される。ディスプレイは、各々が少なくとも１つの部分画素を含む複数の画素を含む。各々の部分画素は、駆動可能視覚的セグメント、第１のスイッチ、及び第２のスイッチを含み、第１のスイッチは、第１の選択ドライバ及び第１のデータドライバと結合され、第２のスイッチは、第２の選択ドライバ及び第２のデータドライバと結合される。
【００３９】
手順２１２では、部分画素のうちの少なくとも１つの駆動可能視覚的セグメントについての透明度状態は、その部分画素のそれぞれの第１のスイッチを採用することによって設定される。図２に関して、第１の電位設定部１２４ＡＲは、第１の電位Ｖ１を部分画素１２２ＡＲの液晶部Ｒに提供するために採用される。第１の電位Ｖ１は、所望の第１の透明度レベルに対応する。
【００４０】
手順２１４では、部分画素の少なくとももう１つの駆動可能視覚的セグメントについての透明度状態は、その部分画素のそれぞれの第２のスイッチを採用することによって設定される。図２に関して、第２の電位設定部１２６ＡＲは、第２の電位Ｖ１を部分画素１２２ＡＲの液晶部Ｒに提供するために採用される。第２の電位Ｖ１も、所望の第１の透明度レベルに対応する。
【００４１】
手順２１２及び２１４は、順次的に、又は同時のいずれかで実行されてもよいことに留意されたい。同時に実行されるとき、各々の所与の瞬間に、２つの電位設定部が、単一の電位設定部によって提供される電流を上回る電流において、所与の部分画素のＬＣＤ層についての所望の電位を設定するために使用されるので、手順は、ディスプレイ全体をリフレッシュするために必要とされる時間を減少させ、それによって、その部分画素のそれぞれのキャパシタを帯電するために必要とされる時間を減少させる。
【００４２】
更に、開示される技術のまた更なる実施形態に従って動作する、冗長に動作可能なディスプレイを動作させる方法の概略図である図６への参照が行われる。手順２２０では、複数の画素を含むディスプレイが提供される。画素の各々は、少なくとも１つの部分画素を含む。部分画素の各々は、駆動可能視覚的セグメント、第１のスイッチ、及び第２のスイッチを含む。第１のスイッチは、第１の選択ドライバ及び第２のデータドライバと結合される。第２のスイッチは、第２の選択ドライバ及び第２のデータドライバと結合される。図２を参照して、ディスプレイ１００は、複数の画素１２０Ａ、１２０Ｂ、１２０Ｃ、及び１２０Ｄを含み、複数の画素の各々は、１２２ＡＲ、１２ＢＢ、及び１２２ＤＧなどの部分画素を含み、部分画素の各々は、第１のスイッチ（例えば、図３Ａ）及び第２のスイッチを含み、第１のスイッチは各々、第１の選択ドライバ１０２及び第１のデータドライバ１０４に結合され、第２のスイッチは各々、第２の選択ドライバ１１２及び第２のデータドライバ１１４に結合される。
【００４３】
手順２２２では、それぞれの第１のデータ線及びそれぞれの第１の選択線を介して、選択された部分画素の第１のスイッチをそれぞれ採用することによって、その選択された部分画素のそれぞれの電位リテンショナへのアクセスが提供される。図３Ａに提示される実施例では、第１の選択線１０８１及び第１のデータ線１０６１Ｒを介してスイッチ１３０１を採用することによって、キャパシタ１３２へのアクセスが提供される。手順２２２において提供されるアクセスは、２３０と記される電位を電位リテンショナに設定すること、２３２と記される電位リテンショナの電位を測定すること、及びそれぞれのスイッチを無効にすること２３４などの様々なアクションに提供されてもよい。図３Ｂに提示される実施例では、電位Ｖ１がキャパシタ１３２に対して設定される。図３Ｂに提示される実施例では、電位Ｖ１がキャパシタ１３２に対して設定される。図３Ｅに提示される実施例では、キャパシタ１３２の電位レベルがスイッチ１３０２を介して測定されるが、電位測定ユニットをスイッチ１３０１と結合することによって、スイッチ１３０１を介してその電位を測定するための類似の技術が適用されてもよい。最終的に、スイッチ１３０１は、選択線１０８１及び第１のデータ線１０６１Ｒのうちのいずれか１つを介して無効にされてもよい（無効にすることは図示されない）。
【００４４】
手順２２４では、それぞれの第２のデータ線及びそれぞれの第２の選択線を介して、選択された部分画素の第２のスイッチをそれぞれ採用することによって、その選択された部分画素のそれぞれの電位リテンショナへのアクセスが提供される。図３Ａに提示される実施例では、第１の選択線１１８１及び第１のデータ線１１６１Ｒを介してスイッチ１３０２を採用することによって、キャパシタ１３２へのアクセスが提供される。手順２２４において提供されるアクセスは、図３Ｂに提示される実施例において実証されるように、電位を電位リテンショナに設定することなどの様々なアクションに提供されてもよい。手順２２２と同様に、手順２２４において提供されるアクセスは、２３６と記される電位を電位リテンショナに設定すること、２３８と記される電位リテンショナの電位を測定すること、及びそれぞれのスイッチを無効にすること２４０などの様々なアクションに提供されてもよい。
【００４５】
手順２２６では、それぞれの第１のデータ線及びそれぞれの第１の選択線を介して、別の選択された部分画素の第１のスイッチをそれぞれ採用することによって、その別の選択された部分画素のそれぞれの電位リテンショナへのアクセスが提供される。図３Ａに提示される構成がディスプレイ１００の部分画素の各々に対して適用されるので、手順２２２と共に提供される説明は、手順２２６に対するそれぞれの構成素子（図示せず）と共に適用されてもよいことに留意されたい。手順２２２と同様に、手順２２６において提供されるアクセスは、２４２と記される電位を電位リテンショナに設定すること、２４４と記される電位リテンショナの電位を測定すること、及びそれぞれのスイッチを無効にすること２４６などの様々なアクションに提供されてもよい。
【００４６】
更に、手順２２２において提供されるアクセス、手順２２４において提供されるアクセス、及び手順２２６において提供されるアクセスは、順次的又は同時であってもよい（例えば、動作要件に応じて）ことに留意されたい。
【００４７】
当業者は、開示される技術が本明細書で特に上記示され及び説明されたものに限定されないことを認識されよう。むしろ、開示される技術の範囲は、以下の特許請求の範囲のみによって定められる。
【図１Ａ】
2020197740.tif 000003
【図１Ｂ】
2020197740.tif 000004
【図１Ｃ】
2020197740.tif 000005
【図１Ｄ】
2020197740.tif 000006
【図１Ｅ】
2020197740.tif 000007
【図２】
2020197740.tif 000008
【図３Ａ】
2020197740.tif 000009
【図３Ｂ】
2020197740.tif 000010
【図３Ｃ】
2020197740.tif 000011
【図３Ｄ】
2020197740.tif 000012
【図３Ｅ】
2020197740.tif 000013
【図３Ｆ】
2020197740.tif 000014
【図４】
2020197740.tif 000015
【図５】
2020197740.tif 000016
【図６】
2020197740.tif 000017